(57)【要約】      （修正有）【課題】雲の形成または雨によって直射日光が覆い隠された時のような好ましくない条件の下でうまく動作する光増幅ユニットを提供する。【解決手段】光７は大きな開口６の一方の側部から入り、内部で反射され、最適に配置された発光体または蛍光体部材３の方に導かれる。発光体または蛍光体部材３は近接するテーパ状の区域から延在しており、円錐の区域１および２を相互に連結している。発光体または蛍光体部材３の内部にある電子は放射エネルギによって励起され、さらなる光子を放出する。短い波長の光がより長い波長の可視光へより多く変換され、開口の一方の側部から放出８された時、結果的に光増幅が起こる。【選択図】図１
2010050084.tif 000002
【特許請求の範囲】
【請求項１】
一般的な目的のエネルギ節約光増幅ユニットであって、外部の取囲む周囲光７または少なくとも二つの方向からの離れたエネルギ源を利用し、最適に配置され、相互に共有された体部材３を発光させるまたは蛍光を発するようにするために、相互にエネルギを受け取り、集中させるための複数の反射体を採用し、体部材３は少なくとも２つの近接した反射体１および２同士の間のテーパ状の開口区域から延在しているか、その開口区域に設けられており、前記発光または蛍光材料の光子および電子の励起を可能にし、それとともに、光源の源の受光方向または受光角度に関係なく、少なくとも二つの方向から送信可能な可視光８の結果的な最大化を可能にしている、光増幅ユニット。
【請求項２】
反射体部材は内部反射双曲線よりなる、または双曲線反射要素を有する、請求項１に記載の光増幅ユニット。
【請求項３】
反射部材は、円錐またはピラミッド型の形状であり、その結果少なくとの二つの方向から発光または蛍光体部材へ集中された光を提供するために光が内部で集光され反射される、請求項１に記載の光増幅ユニット。
【請求項４】
複数の反射体部材は凹型または放物線状の形状であり、その結果収束したより小さい開口から延在する発光または蛍光体部材の方へ光が反射され得る、請求項１に記載の光増幅ユニット。
【請求項５】
一つまたはそれより多くの反射体要素は、楕円形のボウル型または変形可能な形状であり得、その結果収束した開口から延在する発光または蛍光体部材の方へ光が反射され得る、請求項１に記載の光増幅ユニット。
【請求項６】
反射表面は発光または蛍光の性質を有し得る、請求項１〜５のいずれかに記載の光増幅ユニット。
【請求項７】
発光の性質のあるまたは無いレンズまたはプリズムがテーパ状のまたは収束する領域に設けられている、請求項１〜６のいずれかに記載の光増幅ユニット。
【請求項８】
一つの方向のみから現われる受光光にかかわらず３６０度に光を放出可能である、請求項１〜７のいずれかに記載の光増幅ユニット。
【請求項９】
レンズ、プリズム、またはフレネルレンズで覆われた、請求項１〜８のいずれかに記載の光増幅ユニット。
【請求項１０】
微小な電流力に応答可能であり、断続的に光を通過させる偏光結晶層によって覆われている、請求項１〜９のいずれかに記載の光増幅ユニット。
【請求項１１】
ポテンシャルの違いによる温度の違いを起こす非類似の金属によって生じる熱電気的な電流を受ける、請求項１〜１０のいずれかに記載の光増幅ユニット。
【請求項１２】
道路および車のための安全な反射体として使用される、請求項１〜１１のいずれかに記載の光増幅ユニット。
【請求項１３】
電池が不要な装飾品またはノベルティ品として使用される、請求項１〜１２のいずれかに記載の光増幅ユニット。
【請求項１４】
ガイド光またはバックライトとして使用される、請求項１〜１３のいずれかに記載の光増幅ユニット。
【請求項１５】
ネックレスおよびイヤリングなどの手回り品の一部として使用される、請求項１〜１４のいずれかに記載の光増幅ユニット。
【請求項１６】
電気発光体部材を使用する、請求項１〜１５のいずれかに記載の光増幅ユニット。
【請求項１７】
補助ダイオード光を収納する、請求項１〜１６のいずれかに記載の光増幅ユニット。
【請求項１８】
離れた一次コイルからのエネルギを受け取る二次コイルを収納する、請求項１〜１７のいずれかに記載の光増幅ユニット。
【発明の詳細な説明】
【技術分野】
【０００１】
本特許出願は、英国意匠出願第４０１０９６７号、英国意匠出願第４０１０９６８号、英国意匠出願第４０１０９６９号、英国意匠出願第４０１０９７０号とともに、英国特許出願第０８１０２６３．４号、英国特許出願第０８１３９４６．１号、英国特許出願第０９０１３３２．７号、ヨーロッパ特許出願第０８４４５０３３号、ヨーロッパ特許出願第０９４４５０１０号、ヨーロッパ特許出願第０９４４５０１２号、米国特許出願第１２／２８８，４０９号、および米国特許出願第１２／３８４，２２１号の特許出願の優先権を主張する。
【０００２】
発明の分野
【０００３】
この発明は、取囲む周囲光または離れたエネルギ源によって供給される、エネルギ節約光増幅ユニットに関連する。
【背景技術】
【０００４】
背景
【０００５】
取囲む自然光を捕えて、蛍光材料または発光材料における蛍光および発光の能力を増大するために、様々な方法が利用可能である。先行技術は、取囲む周囲光線を最適には受光せず、集光せず、集中せず、直接拡散しない。そうではなく、結果的に効率のロスを持つ放射エネルギにさらされることを制限する、蛍光材料の一部の区域の上または表面領域の上に、一方的に間接的に投影される指向性の光により多く依存している。
【０００６】
先行技術
【０００７】
英国特許第２０４１５０６号は、光パイプの端部にある本体が蛍光を発する太陽光集光システムを示している。オーストラリア特許第６０９１０７号は、光ファイバを経て受取デバイスへ光を送るための光トラッキングモジュールを説明している。これらの例は、発光体部材が複数の反射体同士の間のテーパ状の区域に収納された、最適に配置された発光体部材を使用することも、発光体部材が光線を多面的に導くことが可能であることも説明していない。これらの例は、近位から遠位方向への光の動きを記載しており、その逆を記載していない。両方の例はまた、直射日光または投射された光のような指向性の光に依存している。
【０００８】
米国特許第５５７２７５７７号は、光ファイバのみを通じての双方向の光の流れに言及している。
【０００９】
国際公開第２００４／０４４４８１号は、バックライトシステムの形式を述べており、この形式は、最適に配置された複数の反射体要素による助けを受けない集光シートを用いており、近位から遠位の方向へまたは入口から出口へ光を向かわせ、その逆には光を向かわせない。
【００１０】
英国特許第３９３４１４８号は、光を放射するために蛍光のシートおよび棒を用いることを説明しているが、効率よく物質から蛍光を発するために反射体を用いることに言及していない。
【００１１】
米国特許公開第２００８／０３０４２６８号は、反射する空洞の中の発光材料を記述している。言及されている発光体は、近位の反射体同士の間に最適に配置されておらず、後部の方向からの光を受けることの相互利益を得ておらず、または入口および出口の位置から反対側へおよびその反対の方向へ光の流れを可能にしておらず、反射する表面同士の間の光の同側の流れに主に制限される。
【発明の開示】
【発明が解決しようとする課題】
【００１２】
上記で言及された先行技術は、安全照明、ガイド光、または実用品の高効率のバックライトとして作動するために、曇の状況または拡散光の条件によっては十分な可視光を生み出すことはできない。
【００１３】
発明の概要
【００１４】
単独では指向性のある光それ自体には依存しないが、太陽追尾部材を取り除くのと同様に、雲の形成または雨によって直射日光が覆い隠された時のような好ましくない条件の下でうまく動作する、改良された光増幅ユニットが求められる。
【課題を解決するための手段】
【００１５】
本発明によれば、テーパ状の／収束する円錐またはピラミッド型の区域に設けられる、発光体部材または蛍光体部材を収納する内部反射双曲線（hyperbole）が提供される。あるいは、ピラミッド型、円錐、凹型、放物線状、または楕円形のボウル型の、複数の並置された反射体要素が、その収束したまたはテーパ状の開口端部によって、共有された蛍光体あるいは発光体要素と相互作用してもよい。
【００１６】
好ましい位置に配置された反射体は、全てのアプローチ角からの収束された光とともに最適に配置された発光材料を供給し、この収束光は光子のポンプ活性を促進し、また隣接した反射体同士の間の連続的な双方向の放射エネルギの流れを供給する。
【００１７】
反射体と発光材料との間の有益な共生の（symbiotic）相互作用は、存在する先行技術と比較して、効率、またはルーメン／光束／カンデラの数を大幅に増加させる。
【００１８】
反射空洞は多孔性であってもよく、透光性の固体または液体で満たされていてもよい。反射壁もまた発光／蛍光材料を含んでいてもよい。発散する開口はレンズ、プリズムおよび／または偏光層を有していてもよい。
【００１９】
鉱物、金属、有機または無機染料、および放射性材料などの、光子の活性を促進する材料が加えられてもよく、これらの材料は、紫外光、レーザー、赤外線、マイクロ波、およびすべてのタイプの電磁放射線のような、距離を置いて配置されたエネルギ源によって帯電または励起されてもよい。
【００２０】
発明の他の目的は、一方向のみから現われるまたは一方向のみを源とする光の受光にかかわらず、一方向以上の方向に増幅された光が放射されるのを可能にすることである。従って、光を二方向、多方向、あるいは３６０度に光を提供する。
【００２１】
発明のさらなる目的は、一方向からの光をその源の地点へ反射して戻す、逆反射の装置も提供することである。
【００２２】
光増幅ユニットは、一般的なエネルギ光システム、または安全な反射体および光装飾品、ノベルティ品または宝飾品として機能してもよい。
【００２３】
さらに、光増幅ユニットは、ダイオード、フィラメント、またはバッテリを使用せずに動作してもよく、無駄な製品を取り除き、エネルギを節約し、その結果汚染物質を削減してもよい。
【００２４】
つまり、光増幅ユニットは少なくとも２つの発散する反射体開口から光を受光し、テーパ状の／収束する遠位の開口の中に設けられるまたはその開口から延在する発光／蛍光体部材へその光は導かれて集中され、この発光／蛍光体部材は一つまたはそれより多くの近接した／並置された反射体に隣接する。少なくとの２つの方向から接近する集中された光は、その活性が結果的に高められた、露出された発光／蛍光体全体に同時にぶつかる。発光／蛍光材料は、高いエネルギレベルに励起され、光子を放出し、それによって少なくとも二方向から感知できる可視光を一層多量に放出する。
【００２５】
光は、近位で周囲の発散する反射体開口を通って、発光体または蛍光体部材に近接する遠位の収束する開口からさらに反射される。
【００２６】
この手順は、全ての近接する反射体へと多重方向の光を提供する光増幅ユニット全体にわたって、両方向で同時に起こってもよい。発光／蛍光体部材は少なくとも２つの反射体の間に最適に配置されるので、発光／蛍光体部材は全ての方向から放射エネルギの最大照射量を受けてもよい。
【００２７】
双曲線を用いて同様の結果が達成される。光線は内部反射する双曲線のどちらかの端部に入る。双曲線の収束部分を占める発光／蛍光体部材は、得られた電子の増加した活性のために、高いエネルギレベルに到達する。波長の短い光である程、すべての開口から感知できる、より長い波長の可視光により多く変換される。固定して設計された出口または入口の開口は不要である。開口は互換性があってもよく、出口および入口の両方として同時に動作可能であってもよいからである。
【００２８】
光増幅ユニットは、非常に効率がよく、曇りまたは雨の条件で、比較される先行技術よりもずっと良好に光を放出する。より見えやすいノベルティは、静的な道路反射体または車または歩行者に貼られた動的な反射体に関する安全の向上に、大きく貢献するかもしれない。
【００２９】
加えて、光増幅器は、電気発光や、誘導、光起電的または熱電気的または熱化学的にエネルギが与えられたダイオードのような他の内部光源と、簡単に結合されてもよい。
【００３０】
光増幅ユニットは、バッテリおよびダイオードが故障または壊れた後であっても使用できるので、必須の安全基準を維持し続けるであろう。光増幅ユニットは、取囲む自然光を効率的に利用するので、照明器具の助けなしによく機能する。
【００３１】
集められたいくつかの光増幅ユニットは、通過するヘッドライトまたは街灯からのビームと同様に、３６０度の範囲の周囲の光線を獲得し、全ての方向でより明るく見えてもよい。光増幅ユニットは、日中は概して日光からエネルギが与えられ、夜の条件の間は路地光または他の間接的な光源によって間接的にエネルギが与えられる。
【００３２】
一つあるいはいくつかの光増幅器は、ガラスや結晶、さらには水槽に含まれる水のような透明な物質のバックライトとしての役割を果たしてもよく、人口の照明器具を置き換え、電気代を節約してもよい。
【００３３】
他の有用な例は、レール、階段およびエスカレータに沿ったガイド光を含んでいてもよい。内部反射表面には発光材料が並んでいてもよく、同様にメインの発光体部材と同化していてもよい。色の付いた発光性のまたは透明な球状のレンズまたはプリズムが、隣接する双曲線、放物線、凹型、またはボウル型に成形された反射体同士の間に設けられていてもよい。断続的に色付けられた光ディスプレイを作り出すために、様々に色を付けられた発光材料の一部を覆う結晶シートの偏光層が、光起電性手段によって電気的に活性化されてもよい。これは、決まった間隔で光が偏光層を交互に通過するようにすることによって単純に達成される。たとえば緑と黄色の光がある時間だけブロックされる時、一つまたはそれより多い光増幅ユニットが赤く見えるであろう。一方、黄色と赤の光が妨げられると、緑が強調される。
【００３４】
光増幅ユニット内部に入れられた補助のダイオードランプは、太陽電池によってエネルギが与えられてもよく、または距離を置いて位置づけられた一次コイルから、反射体の一つの近くまたは内部にある二次コイルへエネルギを移してもよい。電気発光材料と偏光層との両方にエネルギを供給するために、熱電気的な方法が採用されてもよい。異なる金属よりなる反射体が温度の違いによる電流を利用してもよく、または単に他の金属物体に接続したユニットによって、偏光結晶を活性化するための十分なポテンシャルの違いを達成してもよい。
【００３５】
発光体部材を取囲む集光部分は、集光反射体とともにまたは集光反射体無しに、レンズまたはプリズムを用いてさらに修正されてもよい。
【００３６】
短い焦点距離を持つ薄いフレネルレンズが、反射体または発光材料の方へ光を導き、光を集中させてもよい。
【００３７】
発光体部材は、有機また無機染料を含み、光または他の放射エネルギが当たった時に発光するまたは蛍光を発する固体、液体、または気体であってもよい。
【００３８】
シート、棒、およびファイバの形状の発光体は、一方の端部から他方の端部へ、または一方の側部から付随する側部へ光を導く傾向がある。一方、規則的または不規則的な形状は、それらの形状の全体の表面領域から光を受光および出力してもよい。
【００３９】
発光体部材は、ガラス、鉱物、シリコーン、ゴム、ジェル、または合成材料よりなっていてもよく、フレネル、ホログラム、いくつかの面および相で多面化され、ドーム型レンズで覆われたレーザー溝、溝、結晶またはプリズム形状のような、受光および出力の好ましい形状または表面を有していてもよい。
【００４０】
反射表面は、発光層、貴金属、鉱物、および特別な染料を含むとともに、上述と同様に反射を促進しうる性質をさらに得てもよい。
【００４１】
ある蛍光または発光材料は、真空、希ガス、放射性材料、有機または無機染料、金属および鉱物と関連してそれぞれ蛍光を発するまたは発光してもよく、一方で他の発光材料は加圧室の中で好ましく動作してもよい。
【図面の簡単な説明】
【００４２】
【図１】光の二方向の流れを可能にする、円錐の区域の間に設けられる最適に配置された蛍光／発光体が収納された双曲線の断面図を説明する第１実施例である。
【図２】発光材料が並んだ内部反射表面を有し、発光／蛍光の性質を持つあるいは持たない球状のレンズまたはプリズム収容する双曲線の断面図である。
【図３】テーパ状または収束した反射体の端部同士の間に設けられ、発光／蛍光体部材と遠位の反射体区域との間の二方向の光の流れを可能にする発光／蛍光体部材の断面図を示している。対向する反射体開口同士の間に生じた隙間によって、補助ダイオードからの光のような任意の光源からの光をさらに交換することを可能にしている。
【図４】並置された凹型または放物線状の反射体同士の間に位置づけられた、最適に配置された蛍光／発光体部材と、しっかりと接続された２つの反射体の一方の側の間の多角的な光の流れとの断面図を説明している。
【図５】内部に配置された発光／蛍光体部材を持ち、装飾用のベルや一般的な吊り下げ式のバッテリ不要な用具などの球形の物体のための光源としての役割を果たす双曲線の断面図を描いている。
【図６】一方の側部から図５がどのように見えるかを例示している。発散する開口の端部は、装飾用の物体の周囲に沿って見える光の受光器および出力器の両方としての役割を果たす。
【図７】共有された発光／蛍光体部材と相互作用する多数の反射体の断面図を示しており、多数の反射体は、全ての反射部材の間の光の受光および出力に、前記発光／蛍光体部材を通じて相互に関与している。反射体と前記発光／蛍光体部材との間に、連続的な共生の関係が存在している。
【図８】図７がいずれの側部からどのように見えるかを明示している。すべての反射体は、中心に配置された発光／蛍光体部材の方に向かってテーパ状となっている。
【図９】発光／蛍光体部材と連動する一方の側部にある大きな開口から光を受光および出力する光増幅ユニットを収納する、ボトルの形状の実用品の断面図を示している。
【図１０】図９が前方および後方にどのように見えるかを説明している。
【図１１】変化可能な形状のライトキャップまたはビンの頂部としての役割を果たすことが可能な、装飾品の一片または実用品の断面図を示している。
【図１２】図１１の透視図であり、ピラミッドの側部に沿った光の入口および出口としての役割を果たす開口を示している。内部反射するテーパ状のトンネルの形状の反射体は、一方の側部からの光が中心に配置された発光／蛍光体部材を通過するのを可能にしている。透明なキャップの石を通じてさらなる光が上から発光／蛍光体部材へ接近可能であってもよい。
【図１３】図１１および図１２の空中の断面図であり、相互に受光および出力する反射体同士の間の相互作用を説明している。
【図１４】双曲線の飲用の容器または水入れの形状の光増幅ユニットの断面図である。いずれの端部が液体を充填するのに用いられてもよい。飲み物が持ち上げられるたびに内部から光が見える。この型のノベルティ品からは光に電気を送るためのバッテリが取り除かれる。
【図１５】図１４が上部または下部からどのように見えるかを示している。
【図１６】アイテムのバックライトとして光増幅ユニットがどのように採用されるかを説明している。発光体は反射体のテーパ状の区域に設けられており、周囲の光を受光し、透光性の物体を通じてより多くの可視光を放射する。発光体は、受光器それ自身としての役割を果たしてもよいし、周囲の近位の反射体またはフレネルレンズによって補助されてもよい。
【図１７】ワイングラスの透視図を示している。一つの反射体がグラスの脚で置き換えられており、グラスの脚はレンズとしての役割を果たし、反射体要素のテーパ状の区域に近接する発光体部材へと集中され光を運ぶ。この方法は、レンズが円錐の反射体区域で置き換えられていることを除いて、図１４で説明されたものとある程度類似している。
【図１８】図１７のものと同様に、光を増幅可能な飲用グラスを示している。
【図１９】階段やエスカレータの中に入れられたガイド光としての役割を果たす光増幅ユニットの機能的な使用を説明している。断面図は、反射体要素同士の間に光がどのように効率的に分配されるかを示している。
【図２０】図１９の透視図を示している。光は、それぞれの階段の水平な表面および垂直な表面の両方に現われる。
【発明を実施するための最良の形態】
【００４３】
詳細な記述
【００４４】
図１は、断面における双曲線の形状にされた光増幅ユニットの好ましい実施例を説明している。光７は大きな開口６の一方の側部から入り、内部で反射され、最適に配置された発光体または蛍光体部材３の方に導かれる。発光体または蛍光体部材３は近接するテーパ状の区域から延在しており、円錐の区域１および２を相互に連結している。発光体または蛍光体部材３の内部にある電子は放射エネルギによって励起され、さらなる光子を放出する。短い波長の光がより長い波長の可視光へより多く変換され、開口の一方の側部から放出８された時、結果的に光増幅が起こる。光は、さらに増幅されて、取囲んでいるレンズによって出口または入口の地点へ導かれてもよい。
【００４５】
図２は、図１の断面図の変形を説明している。発光の性質を持つあるいは持たないレンズまたはプリズム５は、収束した開口の間の内部に収納されており、半円錐１および２を隔てている。発光体または蛍光体材料３は、双曲線の反射表面に並んでいる。集光された光７は双曲線の一方の側部から入り、レンズ／プリズム５によって屈折され、一方で、反射表面内の発光材料３を同時に活性化し、利用可能な知覚可能な光８を双方向で増加させる。
【００４６】
図３は、光増幅ユニットの断面図を示している。発光／蛍光体部材３は、反射体１および２のテーパ状の２つの端部を渡るブリッジを形成しており、一方の端部からの集光された光７が、発光材料をより高いエネルギレベルへ活性化することを可能にし、一方の端部から流出する増幅された光８を提供するために、電子が双方向９に流れることを可能にする。
【００４７】
図４は、並置された凹型または放物線の反射体の断面図を説明している。この反射体は取囲む周囲の光、または少なくとも二つの方向からの他の離れたエネルギ源を利用している。互いに係合した反射体１および２は、最適に配置された共有された発光／蛍光体部材３を発光させるまたは蛍光を発するようにするために、エネルギを相互に受け取る。発光／蛍光体部材３は、テーパ状の開口区域から延在しており、発光／蛍光体部材３の光子および電子の励起を可能にし、それとともに、少なくとも二つの方向からの出力可能な可視光８の結果的な最大化を可能にしている。対向する凸型表面の間の隙間１６は、露出された発光／蛍光体部材３へのさらなる光７を供給してもよい。
【００４８】
図５は、装飾品１５の断面図を示している。装飾品１５は、物体を照らすための消耗性のダイオードおよびバッテリの代わりに、光増幅ユニットを収納している。この例は、装飾的に、または安全な反射体として用いられてもよい球形またはベル型のアイテムを描写している。
【００４９】
取囲んでいる周囲の不要な光７は、双曲線の円錐またはピラミッド型の区域の、大きな半透明の開口６に入る。光は、発光／蛍光体部材３を収納する双曲線のテーパ状の部分に向かって集中する傾向がある。前記発光／蛍光体部材内部にある粒子は、帯電され増大した光の利用（charged harnessing enhanced light）となり、この光は、ホスト物体（hosted object）から投影されるためにいずれかの方向に消散する９。
【００５０】
図６は、ホスト双曲線光増幅ユニットの一方側から見た図５を説明している。開口６は集光器、出力器、および受光器としての役割を果たし、一方で内部反射表面４は、物体１５のための光源としての役割を果たすために、発光／蛍光体部材３へまたは発光／蛍光体部材３から光を導く。
【００５１】
図７は、相互に共有される発光体３に作用する多数の反射体の断面図である。多面化された発光体３は、１および２のような近接する複数の反射体によって囲まれており、球の形状の光増幅ユニット１４と似るように配置されたテーパ状の開口端部に取り付けられている。指向性または非指向性の光の形式のエネルギは、レンズまたはプリズムのカバー５を通って入る７。二次的なエネルギは吸収する発光体または蛍光体３の原子の電子を励起し、結果的に光子を放出し、それによってより多くの可視光を生じる。一次光の、目に見えないが強力な紫外線成分の吸収が可能となり、増幅光は全ての方向８で放射される。発光体または蛍光体部材３内部のある材料は、可視光または紫外光によって照射されてもよい。光は、内部反射円錐、ピラミッド型、双曲線、またはボウル型反射体のような、ある反射体のテーパ状の端部に近づくにつれてさらに集光される。それらの特徴的な鋭い反射角度に起因して、テーパ状のまたは収束した開口端部の方に光は導かれ、直径または外周が減少すると光強度は増加する。
【００５２】
従って、発光体部材３と取囲む反射体１および２との間には共生の関係がある。反射体部材３は、複数の反射体から多様な方向から最適に光を受光し、同様に付随する全ての反射体へより多くの可視光を利用する。凹型や放物線状などの他の形式の反射体が採用されてもよいが、これらの反射体は光をより前方に光を集め、集中させる傾向があるため、構造的な配置の利点を得るために、発光体部材３を従って適合させなければならない。これは通常、円錐またはピラミッドが用いられる時よりも発光体部材３が比例して大きく、長くなければならないことを意味する。
【００５３】
この球状の３６０度の配置もまた、全ての大きさの物体が蛍光を発するために比較的効率のよい、実用的な方法である。なぜならば、この記載に従って作られた小さく安全な反射体であっても、安全の目的のために十分に機能するためであり、ガイド光、バッテリ不要の装飾品、またはイヤリングやネックレスのような個人的な手回り品として用いられてもよいからである。
【００５４】
任意の方向から受光した光は、相互に共有された発光体部材に取り付けられた多数の反射体を通じて、３６０度にさらに伝達されるだろう。
【００５５】
全体的に球状の構造的配置１４は、多孔性であってもよく、透明な材料で満たされていてもよく、および／または高い屈折率を有するプリズムレンズまたはフレネルレンズシートによって覆われていてもよい。構造は、シーベックの原則（Seebeck’s principle）に従って、非類似の金属の物体同士の間に形成された小さな太陽電池または熱電流によって作動する偏光結晶層を用いて、点滅光の物体に修正されてもよい。
【００５６】
図８は、図７がどちらか一方の側部または上部および下部からどのように見えるかを示している。取囲む光７は、発光体部材３を活性化するために、レンズ５を通じて屈折され、少なくとも反射体１および２の反射体開口６の中へ入り、その結果生成された可視光が物体１４の外周の周りで出力可能とされてもよい。
【００５７】
図９は、ボトル、花瓶、または一般的な装飾品のような実用品１７の断面図を示しており、このアイテムは、電気化学電池、ダイオード、または太陽電池パネルが無くても光の生成が可能である。光７は反射体１および２の両方の開口６から入り、結果的に発光体部材３が励起され、レンズ形状の発光体部材３を通じて発生した光の双方向の流れが生じる。光は、発光体部材３の凸状の終端を通り抜け、周辺に屈折されるとき８に拡大される。
【００５８】
図１０は、図９の前方および後方の図であり得る。光は開口６を通じて前方または後方から入り、反射表面４によって内部反射され、反射表面４は集中された光を最適に配置された発光体部材３へ提供する。
【００５９】
図１１は、ボトルのキャップや、瓶または一般的な結晶の装飾品の頂部などの実用品１２の断面図である。どのような大きさまたは形状でもよく、どのような材料よりなっていてもよい。
【００６０】
エネルギ節約光増幅ユニットは、光源を提供するために内部に搭載される。反射体１および２は、一方の側部から中央に配置された発光性光学体部材３へ向かってテーパ形状にされている。一方の側部から受光された光７は、増幅され、一方の側部から照射される。
【００６１】
全ての反射体開口は、同時に、短い波長の光の相互の受光器および長い波長の光の出力器としての役割を果たす。
【００６２】
図１２は、図１１の透視図を示している。ピラミッドとして例示されている物体１２は光増幅ユニットを収納しており、この光増幅ユニットは、中央に配置された発光性光学体部材３へ周辺光を供給する反射体１および２によって少なくとも構成されている。発光体部材３は同様に変換された光を多数の方向へ運び、その結果、発光体部材３に結合されたそれぞれの反射体要素は、その存在の利点を得てもよい。透明なキャップの石の頂点を通じて、上部から発光体部材３の露出された部分へさらなる光が供給されてもよい。他の成形された物体が同様に、円筒状の柱、または様々なランタン／ライトハウスに成形されたアイテムのような他の形状の物体が、光増幅ユニットに適合されてもよい。上部から追加の光を受光するために、垂直に整列された補助反射体が発光体部材の頂点に加えられてもよい。
【００６３】
図１３は、図１１および図１２を相互参照する物体１２の空中図である。多数の反射体は発光体部材３を取り囲んでおり、発光体部材３と相互接続しており、受光した光７をより感知できる光８へと変換可能としている。
【００６４】
図１６は、半透明の装飾用の彫像１９の垂直断面図を示している。彫像１９は、プリズムおよびレンズ５としての役割を果たし、プリズムおよびレンズ５は一つの対称な発光体部材および一つの非対称な発光体部材３から光を受光し、発光体部材３は楕円形のボウル型の反射体１の収束した端部に搭載される。
【００６５】
発光体３は、反射体の助けを受けない周囲の光自体を受光してもよいが、効率が低くなる。球状に成形された発光体部材３は、それら自体がレンズとしての役割を果たしてもよいし、多面の発光体３として下に示されているように、交互にフレネルレンズ５によって覆われてもよい。光はまた、ガラスの装飾品の彫像によって受光されてもよく、反射体１およびその内部に搭載された発光体３を通過してもよい。
【００６６】
この持続する２つの光の流れを利用する１つの方法は、同様の物体または対になった装飾用の彫像を、相互に共有された発光体部材３の一方の側に接続することである。
【００６７】
図１７は、修正された光増幅ユニットを持つワイングラス１３の透視図を示している。反射体２は、グラスの脚の形の集光レンズ５によって置き換えられている。
【００６８】
発光体部材３は、反射体１のテーパ状の端部に取り付けられており、容器の土台と同化する脚／シャフト端部領域で遠位のくぼみの中に突出している。半透明の脚の厚さおよび形状は、受光および出力の屈折レンズとしての役割を果たす。対象者がグラスを持ち上げ同時にグラスを傾けた時、コンテナ容器の内部から素晴らしい輝きが現れる。光７はまた、グラスの開口から入り脚の方へ内部反射されてもよく、受光端部と出力端部との間で絶え間なく同時に起こる２つの光の流れを維持してもよい。金、銀、または発光性物質などの高反射材料でビーカーの壁の内側を覆うことにより、光がさらに増幅されてもよい。
【００６９】
図１８は、ここではプリズムの結晶の土台の脚の形状の厚いプリズムレンズ５によって脚が置き換えられたことを除いて、図１７に例示したものと同様に配置された飲用グラス１３の透視図を示している。
【００７０】
図１９は、一連の固定された階段または動くエスカレータの階段１１の断面図であり、一の高さから他の高さへ上るまたは下る順序で導く。一の高さからほかの高さへ歩く時、歩行者が偶発的につまずくことを防ぐためのガイドライトを持つことは有用である。日中は取囲む自然の周囲光が光源としての役割を果たしてもよいし、夜間は街灯からの迷光によってエネルギを得てもよい。光増幅ユニットは垂直方向および水平方向の両方から光７を受光し、次に発光体はより多くの可視光８を放出する。
【００７１】
図２０は、図１９の透視図を示している。開口６は、近接する反射体１および２と発光体部材との間で光が自由に動くことができるように、好ましくは透明のガラスまたは合成物質で満たされているまたは覆われている。
【図１】
2010050084.tif 000003
【図２】
2010050084.tif 000004
【図３】
2010050084.tif 000005
【図４】
2010050084.tif 000006
【図５】
2010050084.tif 000007
【図６】
2010050084.tif 000008
【図７】
2010050084.tif 000009
【図８】
2010050084.tif 000010
【図９】
2010050084.tif 000011
【図１０】
2010050084.tif 000012
【図１１】
2010050084.tif 000013
【図１２】
2010050084.tif 000014
【図１３】
2010050084.tif 000015
【図１４】
2010050084.tif 000016
【図１５】
2010050084.tif 000017
【図１６】
2010050084.tif 000018
【図１７】
2010050084.tif 000019
【図１８】
2010050084.tif 000020
【図１９】
2010050084.tif 000021
【図２０】
2010050084.tif 000022
【外国語明細書】
2010050084000001.pdf